(57)【要約】      （修正有）【課題】鉄道模型ジオラマに使用するＬＥＤで点灯する道路信号機の模型を提供する。【解決手段】ＬＥＤの光はスペーサーという中空のパイプのような部品でホーリーファイバに伝える。そして、内径４〜５ｍｍのストロー状プラスチックの電柱４の中を通し道路信号機本体、歩行者信号機本体の信号レンズ部分の穴１まで導き、ＬＥＤの光を放出させる。ＬＥＤは高輝度ＬＥＤを使用する。ＬＥＤの大きさは特に決めない。ホーリーファイバは、従来の光ファイバよりも曲がりに強く、曲げても光損失がほとんどない。花壇の模型に仕上げたＬＥＤを収納する箱を省いて、ＬＥＤの光を伝えるスペーサーを、ジオラマの外に設置するなどで、模型信号機の設置の自由度が向上する。また、既存のジオラマにも小改造で対応できる。将来、ホーリーファイバの入手が、容易になったらそれを使用する。【選択図】図８
0003150394.tif 000002
【実用新案登録請求の範囲】
【請求項１】
電柱内に１０ｃｍ程度の長さの釣り糸を通し、高輝度ＬＥＤの光で点灯する、花壇の模型が付属の模型道路信号機。
【請求項２】
電柱外に１０ｃｍ程度の長さの釣り糸かホーリーファイバを通し、高輝度ＬＥＤの光で点灯する、花壇の模型が取り付け、取り外し自由の模型道路信号機。
【請求項３】
電柱内に１０ｃｍ程度の長さの釣り糸かホーリーファイバを通し、高輝度ＬＥＤの光で点灯する、模型道路信号機。
【請求項４】
光ファイバまたは釣り糸が露出し、高輝度ＬＥＤの光で点灯する、花壇の模型が付属の模型歩行者信号機。
【請求項５】
信号レンズに３ｍｍＬＥＤが直接挿入できる大きさの横型模型道路信号機。
【請求項６】
信号レンズに３ｍｍＬＥＤが直接挿入できる大きさの縦型模型道路信号機。
【請求項７】
ホーリーファイバを通すかまたは３ｍｍＬＥＤを直接挿入できる模型歩行者信号機。
【考案の詳細な説明】
【技術分野】
【０００１】  本考察は、鉄道模型ジオラマに使用するＬＥＤで点灯する道路信号機の模型に関する。
【背景技術】
【０００２】  従来の道路信号機の模型は、信号レンズの部分に塗料で着色していた。
【考案の開示】
【考案が解決しようとする課題】
【０００３】  鉄道模型では、電車の通過時に実物同様に点灯する鉄道信号機付きレールが販売されている。建物の模型にも建物照明ユニットが販売されている。道路信号機の模型は点灯しないため不自然である。
【課題を解決するための手段】
【０００４】  請求項１の考察は、ＬＥＤ光源を伝えるために光ファイバより曲がりやすく、１０ｃｍ程度の長さで充分光を通す釣り糸を、光ファイバの代用で使う。ＬＥＤの光はスペーサーという中空のパイプのような部品で、その釣り糸に伝える。そして、電柱内を通し、道路信号灯器の信号レンズ部分まで導き、ＬＥＤの光を放出させる。ＬＥＤは高輝度３ｍｍＬＥＤを使用し、交換しやすい場所に取り付ける。そのために、ＬＥＤやそのスペーサーを６個分収納できる花壇の模型を製作して、その模型信号機を立てて、ジオラマに設置しやすくする。全部の部品を新規開発する。Ｎゲージ向きである。【０００５】  請求項２の考察は、ＬＥＤ光源を伝えるために光ファイバより曲がりやすく、１０ｃｍ程度の長さで充分光を通す釣り糸を、光ファイバの代用で使う。ＬＥＤの光はスペーサーという中空のパイプのような部品で、その釣り糸に伝える。そして、電柱の外側を通し、押さえ板で直角に向きを変え、道路信号灯器の信号レンズ部分まで導き、ＬＥＤの光を放出させる。ＬＥＤは高輝度３ｍｍＬＥＤを使用し、交換しやすい場所に取り付ける。そのために、ＬＥＤやそのスペーサーを６個分収納できる花壇の模型を製作して、その模型信号機を立てて、ジオラマに設置しやすくする。こちらは、花壇の模型だけを新設計し、信号機や信号柱は、既存の市販品を流用する。Ｎゲージ向きである。【０００６】  請求項３の考察は、ＬＥＤの光は、ホーリーファイバに、スペーサーという中空のパイプのような部品で伝える。そして、電柱内を通し、道路信号灯器本体、歩行者信号灯器の信号レンズ部分まで導き、ＬＥＤの光を放出させる。ＬＥＤは高輝度ＬＥＤを使用する。ＬＥＤの大きさは特に決めない。ホーリーファイバは、従来の光ファイバよりも曲がりに強く、曲げても光損失がほとんどない。将来、ホーリーファイバの入手が容易になったらそれを使用する。そうなると、花壇の模型を省いてＬＥＤの光を伝えるスペーサーをジオラマの外に設置するなどして、模型信号機の設置の自由度が向上する。また、既存のジオラマにも小改造で対応できる。このようなことから、これもＮゲージ用である。ホーリーファイバの代用に釣り糸も使用できるが、１０ｃｍくらいの長さしかとれず、ＬＥＤの光を伝えるスペーサーもジオラマボードの真下に設置することになる。脚のついたジオラマボードでなければならない。【０００７】  請求項４の考察は、ＬＥＤ光源を光ファイバまたは釣り糸を使用する。ＬＥＤの光は、スペーサーという中空のパイプのような部品で、その光ファイバまたは釣り糸に伝える。そして、歩行者信号灯器の信号レンズ部分まで導き、ＬＥＤの光を放出させる。ＬＥＤは高輝度３ｍｍＬＥＤを使用し、交換しやすい場所に取り付ける。そのために、ＬＥＤやそのスペーサーを４個分収納できる花壇の模型を製作して、その歩行者信号機を立てて、ジオラマに設置しやすくする。【０００８】  請求項５の考察は、信号レンズに３ｍｍＬＥＤが直接挿入できる大きさの横型模型信号機を製作する。これも、模型信号機の設置の自由度が向上し、既存のジオラマにも小改造で対応できる。多少、寸法が拡大するので、鉄道模型ではＨＯゲージ用か、Ｎゲージで使用の際は、４５ｃｍ灯器と��う割り切りが必要になる。【０００９】  請求項６の考察は、信号レンズに３ｍｍＬＥＤが直接挿入できる大きさの縦型模型信号機を製作する。これも、模型信号機の設置の自由度が向上し、既存のジオラマにも小改造で対応できる。多少、寸法が拡大するので、鉄道模型ではＨＯゲージ用か、Ｎゲージで使用の際は、４５ｃｍ灯器という割り切りが必要になる。【００１０】  請求項７の考察は、ホーリーファイバまたは３ｍｍＬＥＤを取り付ける歩行者信号機であり、寸法は多少違ってもデザインは同一とする。これもＬＥＤの光を伝えるスペーサーをジオラマの外に設置するなどして、模型信号機の設置の自由度が向上する。また、既存のジオラマにも小改造で対応できる。
【考案の効果】
【００１１】  ＬＥＤを交換しやすくして、理想の模型信号機が仕上がる。赤信号が長いと赤のレンズが色あせたり色が薄くなる。その演出をしたい場合はピンク色を点灯させるＬＥＤを使用する。古い信号機は青信号が黄緑色なので、黄緑色を点灯させるＬＥＤにすると古めかしい演出になる。予告信号に一番左と一番右の信号レンズが黄色という特殊な例もあるのでその変更も容易になる。歩行者信号機についても、赤の点灯時間が長い押しボタン式では赤のレンズが薄まっているので、これもピンク色を点灯させるＬＥＤに取り換えて、色あせた赤信号の再現ができる。
【考案を実施するための最良の形態】
【００１２】  模型道路信号機の信号灯器本体の、それぞれの信号レンズ部分の穴１を直径１．４ｍｍに開けて、その穴の裏から外径１．４ｍｍ、内径１．０ｍｍの金属パイプ２をはめる。青信号用を一番短く、赤信号用を一番長くする。ある程度の光の拡散と釣り糸の滑らかな取り回しを考えたためである。次に模型道路信号灯器本体の、信号レンズの部分まで、ＬＥＤ光源が到達するよう釣り糸３を通す。光ファイバより曲がりやすく、１０ｃｍ程度の長さで高輝度ＬＥＤを使用すると充分光を通した。０．６６ｍｍの太さが曲がりやすく、銘柄は東レの「銀鱗１６号」が良い。電柱内部を通す場合は、内径４〜５ｍｍのストロー状プラスチックの電柱４に成形し、その内部に釣り糸３を通す。釣り糸の入口穴は４個設けた。その穴で釣り糸は曲がるが、釣り糸のその部分を、はんだごてにつけない程度に近づけて、熱加工して直角に曲げた。３個の穴５と矢印信号用の予備の穴６を設け、それぞれの穴を少し離し、電柱内部の釣り糸３を金属パイプ７で包んだ。光の混入を抑えるためである。歩行者信号機８も設置した。信号レンズ部分に直径０．７ｍｍの穴を開けて、短めの釣り糸９は露出させて通した。下部の箱は、花壇の模型に仕上げたＬＥＤを収納する箱１１である。ＬＥＤの光は、スペーサー１４という中空のストローのような部品で釣り糸に伝える。ＬＥＤ交換時のふた１２を開けＬＥＤを交換できるようにした。電線１３で適正電圧の直流電源につなぐ。（図１）【００１３】  模型道路信号機の信号灯器本体の、それぞれの信号レンズ部分の穴１を直径０．７ｍｍに開ける。そして、信号レンズ部分の穴１に入れる釣り糸３の先端を、熱加工で少し膨らます。次に、模型道路信号灯器本体の、信号レンズの穴１の部分まで、ＬＥＤ光源が到達するよう釣り糸３を通す。光ファイバより曲がりやすく、１０ｃｍ程度の長さで高輝度ＬＥＤを使用すると、充分光を通した。０．６６ｍｍの太さが曲がりやすく、銘柄は東レの「銀鱗１６号」が良い。電柱外に釣り糸３を露出させるため、釣り糸の押さえ板１０をはめる。その釣り糸３を目立ちにくくしたいなら、その周辺に木や花を植え込む。信号機と押さえ板の間、押さえ板で直角になる部分の、２ヶ所の釣り糸部分を熱加工して曲がりのクセをつけた。歩行者信号機の釣り糸９は、露出して取り付けた。下部の箱は、花壇の模型に仕上げたＬＥＤを収納する箱１１である。ＬＥＤはＬＥＤ交換時のふた１２を開けて交換する。電線１３で適正電圧の直流電源につなぐ。どうしても既存のジオラマに、小改造で取り付けたいなら、花壇の模型を撤去して、ＬＥＤの光を伝えるスペーサー１４をジオラマの真下に設置できる構造にする。しかし、脚のついたジオラマボードでなければならない。（図４）【００１４】  信号灯器本体の、それぞれの信号レンズ部分の穴１を直径０．７ｍｍ程度に開け、内径４〜５ｍｍのストロー状プラスチックの電柱４を成形した状態までの、模型道路信号機を開発する。穴１５は４個設け、間隔を少し開ける。そのうちの１個の穴は、矢印信号用の予備の穴である。ホーリーファイバを自分で任意の長さに切り、電柱内部を通す。ＬＥＤの光は、スペーサー１４という中空のパイプのような部品でホーリーファイバに伝える。ホーリーファイバの代用に釣り糸も使用できるが、１０ｃｍくらいの長さしかとれずＬＥＤの光を伝えるスペーサー１４もジオラマボードの真下に設置することになる。（図８）【００１５】  主歩行者信号機１６、予備歩行者信号機１７もＬＥＤ光源を釣り糸を使用して導く。予備歩行者信号機１７は、スクランブル交差点再現用なので、取り外せるようにするか、オプション品にする。信号レンズ部分に直径０．７ｍｍの穴を開け、短めの釣り糸９は露出させて通した。花壇の模型に仕上げたＬＥＤを収納する箱１１、ＬＥＤ交換時のふた１２で、ＬＥＤを交換できるようにした。電線１３で適正電圧の直流電源につなぐ。（図９）【００１６】  模型信号機の灯器本体に３ｍｍＬＥＤが直接挿入できる大きさに製作する。既存のジオラマにも小改造で対応できる。（図１１，１２）【００１７】  ホーリーファイバまたは３ｍｍＬＥＤを取り付ける歩行者信号機は、寸法は多少違ってもデザインは同一とする。これも既存のジオラマにも小改造で対応できる。（図１３）
【図面の簡単な説明】
【００１８】
【図１】  釣り糸をストロー状の電柱内部に通し、模型の花壇内部に設置されたＬＥＤにより点灯する模型道路信号機である。ふたを開けてＬＥＤを交換できるようにした。信号機とそれを支えるアームはステンレスで、電柱は、飲み物用のストローで試作した。
【図２】  電柱内部に釣り糸を通す部分と、電柱内部の釣り糸を金属パイプで包んだ部分である。
【図３】  信号レンズ部分に金属パイプをはめた状態と、釣り糸を付けた状態を上部から見た図である。
【図４】  現在市販されている道路信号機模型に、釣り糸押さえ板と花壇を追加した。釣り糸が露出するが、市販品の流用を考えたためである。
【図５】  図４の信号機本体の上部の図である。
【図６】  図４の信号機を後付けする花壇部分にＬＥＤを設置した図である。
【図７】  図６の上部の図である。
【図８】  ホーリーファイバーという折り曲げに強い光ファイバを使用するために考えた。電柱の穴にその光ファイバを通すが、光の混入を考え、４個の穴を少し離した。
【図９】  歩行者信号機をＬＥＤで点灯させる図である。釣り糸は露出させる。左側の主歩行者信号機は必ず使用する。右側の予備歩行者信号機でスクランブル交差点の再現もできる。
【図１０】  図９の上部の図である。
【図１１】  ３ｍｍＬＥＤを直接取り付ける前提での横型模型信号機である。新規開発になると予想されるから、現代的な一本アームデザインにした。
【図１２】  ３ｍｍＬＥＤを直接取り付ける前提での縦型模型信号機である。新規開発になると予想されるから、現代的な一本アームデザインにした。
【図１３】  ホーリーファイバを取り付けるか、３ｍｍＬＥＤを取り付けるために考えた歩行者信号機である。
【符号の説明】
【００１９】    １    信号レンズ部分の穴
２    外径１．４ｍｍ、内径１．０ｍｍの金属パイプ
３    釣り糸
４    内径４〜５ｍｍのストロー状プラスチックの電柱
５    ３個の穴
６    矢印信号用の予備の穴
７    金属パイプ
８    歩行者信号機
９    短めの釣り糸
１０    釣り糸の押さえ板
１１    花壇の模型に仕上げたＬＥＤを収納する箱
１２    ＬＥＤ交換時のふた
１３    電線
１４    スペーサー
１５    穴
１６    主歩行者信号機
１７    スクランブル交差点製作時の予備の歩行者信号機
１８    高輝度３ｍｍＬＥＤ
【図１】
0003150394.tif 000003
【図２】
0003150394.tif 000004
【図３】
0003150394.tif 000005
【図４】
0003150394.tif 000006
【図５】
0003150394.tif 000007
【図６】
0003150394.tif 000008
【図７】
0003150394.tif 000009
【図８】
0003150394.tif 000010
【図９】
0003150394.tif 000011
【図１０】
0003150394.tif 000012
【図１１】
0003150394.tif 000013
【図１２】
0003150394.tif 000014
【図１３】
0003150394.tif 000015
【手続補正書】
【提出日】平成20年4月3日(2008.4.3)
【手続補正１】
【補正対象書類名】明細書
【補正対象項目名】０００６
【補正方法】変更
【補正の内容】
【０００６】  請求項３の考察は、ＬＥＤの光は、ホーリーファイバに、スペーサーという中空のパイプのような部品で伝える。そして、電柱内を通し、道路信号灯器本体、歩行者信号灯器の信号レンズ部分まで導き、ＬＥＤの光を放出させる。ＬＥＤは高輝度ＬＥＤを使用する。ＬＥＤの大きさは特に決めない。ホーリーファイバは、従来の光ファイバよりも、曲がりに強く曲げても光損失がほとんどない。将来、ホーリーファイバの入手が容易になったらそれを使用する。そうなると、ＬＥＤの光を伝えるスペーサーをジオラマの外に設置するなどして、模型信号機の設置の自由度が向上する。また、既存のジオラマにも小改造で対応できる。このようなことからＮゲージ用になる。ホーリーファイバの代用に釣り糸３を使用する際は、釣り糸３を１２ｃｍくらいの長さしかとらず、ＬＥＤの光を伝えるスペーサーも、ジオラマボードの真下に設置して、脚のついたジオラマボードにすると良い。釣り糸によっては光を通すものと通さないものがある。釣り糸３またはホーリーファイバを後付けできる構造にする。
【手続補正２】
【補正対象書類名】明細書
【補正対象項目名】００１４
【補正方法】変更
【補正の内容】
【００１４】  信号灯器本体の、それぞれの信号レンズ部分の穴１を直径０．７ｍｍ程度に開け、内径４〜５ｍｍのストロー状プラスチックの電柱４を成形した状態までの、模型道路信号機を開発する。穴１５は後ろに４個設け、間隔を少し開ける。そのうちの１個の穴は、矢印信号用の予備の穴である。ホーリーファイバを自分で任意の長さに切り、電柱内部を通す。ＬＥＤの光は、スペーサーという中空のパイプのような部品でホーリーファイバに伝える。歩行者信号機も取り付けて点灯させたいならホーリーファイバは露出して取り付ける。ホーリーファイバの代用に釣り糸３を使用の際は、太さ０．６６ｍｍ、銘柄は東レ「銀鱗１６号」を選択し、長さを１２ｃｍくらいに切断して使用する。これで、光をよく通した。穴１５で釣り糸３は曲がるが釣り糸３のその部分を、はんだごてにつけない程度に近づけて、熱加工して直角に曲げる。信号レンズになる釣り糸３の先も、はんだごてにつけない程度に近づけて、熱加工して若干ふくらます。信号灯器本体と穴１５の間の釣り糸３部分もちょっとの熱加工で緩い曲がりをつける。光の混入を抑えるため、内径４〜５ｍｍのストロー状プラスチックの電柱４内部の釣り糸３を金属パイプ７で包む。ＬＥＤの光を伝えるスペーサーもジオラマボードの真下に設置して、脚のついたジオラマボードにする。（図８）
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
１０ｃｍ程度の長さの釣り糸の端を高輝度ＬＥＤの光で照射し、反対側の端は信号機本体に取り付け、光を放出させて点灯させる。釣り糸は花壇の模型内部や中空状の電柱内部で隠し、高輝度ＬＥＤを花壇の模型内部に内蔵し、さらに蓋を開けて任意の色の高輝度ＬＥＤに交換可能な模型道路信号機。
【請求項２】
１０ｃｍ程度の長さの釣り糸の端を高輝度ＬＥＤの光で照射し、反対側の端は信号機本体に取り付け、光を放出させて点灯させる。釣り糸は花壇の模型内部でのみ隠し、電柱外部に露出する。高輝度ＬＥＤを花壇の模型内部に内蔵し、さらに蓋を開けて任意の色の高輝度ＬＥＤに交換可能にするが、設置場所の都合により、花壇の模型を撤去し、高輝度ＬＥＤをジオラマボードの下に移設できるようにした花壇の模型が取り付け、取り外し自由の模型道路信号機。
【請求項３】
露出させたパイプ状のスペーサーに、ホーリーファイバまたは長さ１０ｃｍ程度の長さの釣り糸の端と高輝度ＬＥＤを接続し、その高輝度ＬＥＤの光をホーリーファイバまたは釣り糸の端に照射させ、反対側の端は信号機本体に取り付け、光を放出させて点灯させる。高輝度ＬＥＤは任意の色に交換できるようにし、ホーリーファイバまたは釣り糸を中空状の電柱内部を通して隠した模型道路信号機。
【請求項４】
釣り糸の端を高輝度ＬＥＤの光で照射し、反対側の端は信号機本体に取り付け、光を放出させて点灯させる。光ファイバまたは釣り糸は花壇の模型内部でのみ隠し、そこから先は露出させる。高輝度ＬＥＤを花壇の模型内部に内蔵し、さらに蓋を開けて任意の色の高輝度ＬＥＤに交換可能な模型歩行者信号機。
【請求項５】
内部を中空にした電柱を製作し、電線が９本程度通るようにして、信号機本体のレンズ部分には５ｍｍ程度の穴を開けて、５ｍｍＬＥＤを直接挿入できるようにした模型道路横型信号機。
【請求項６】
内部を中空にした電柱を製作し、電線が９本程度通るようにして、信号機本体のレンズ部分には５ｍｍ程度の穴を開けて、５ｍｍＬＥＤを直接挿入できるようにした模型道路縦型信号機。
【請求項７】
信号機本体のレンズ部分に３ｍｍ程度の穴を開け、３ｍｍＬＥＤを直接挿入する。または、露出させたパイプ状のスペーサーに、ホーリーファイバの端と高輝度ＬＥＤを接続し、その光を照射させ、一回り小さく製作しレンズ部分に２ｍｍ程度の穴を開けた信号機本体に、ホーリーファイバの反対側の端を挿入し、光を放出して点灯させた模型歩行者信号機。
【手続補正書】
【提出日】平成20年7月4日(2008.7.4)
【手続補正１】
【補正対象書類名】明細書
【補正対象項目名】０００７
【補正方法】変更
【補正の内容】
【０００７】  請求項４の考察は、ＬＥＤの光は、スペーサーという中空のパイプのような部品で光ファイバか釣り糸に伝え、歩行者信号灯器の信号レンズ部分まで導き、ＬＥＤの光を放出させる。ＬＥＤは３ｍｍ高輝度ＬＥＤを使用し、交換しやすい場所に取り付ける。そのために、ＬＥＤやそのスぺーサーを収納できる花壇の模型を製作して、その模型歩行者信号機を立てて、ジオラマに設置しやすくする。Ｎゲージ向きである。
【手続補正２】
【補正対象書類名】明細書
【補正対象項目名】０００８
【補正方法】変更
【補正の内容】
【０００８】  請求項５の考察は、内部が中空状の電柱を製作し、電線が９本程度通るようにする。信号機本体のレンズ部分には５ｍｍ程度の穴を開ける。フルカラー５ｍｍＬＥＤを直接挿入するが、一番左の青信号用レンズ部分や一番右の赤信号レンズ部分ともＲＧＢ３色ＬＥＤを取り付ける。青信号の場合、新品の信号機の再現なら青点灯、古い信号機の再現なら緑点灯させたりできる。電子回路の追加で赤点滅もできる。中央の黄信号レンズ部分は、黄色１色５ｍｍＬＥＤを取り付ける。赤信号の場合、新品の信号機の再現なら赤点灯、色の混ぜ合わせの原理を応用して、古い信号機の再現なら赤信号部分の３色ＬＥＤの青と赤を同時点灯させピンク点灯、珍しい予告信号を再現したいなら、青信号部分と赤信号部分の３色ＬＥＤの緑と赤を同時点滅などをさせる。一般的な模型道路横型信号機である。
【手続補正３】
【補正対象書類名】明細書
【補正対象項目名】０００９
【補正方法】変更
【補正の内容】
【０００９】  請求項６の考察は、内部が中空状の電柱を製作し、電線が９本程度通るようにする。信号機本体のレンズ部分には５ｍｍ程度の穴を開ける。フルカラー５ｍｍＬＥＤを直接挿入するが、一番下の青信号用レンズ部分や一番上の赤信号レンズ部分ともＲＧＢ３色ＬＥＤを取り付ける。青信号の場合、新品の信号機の再現なら青点灯、古い信号機の再現なら緑点灯させたりできる。電子回路の追加で赤点滅もできる。中央の黄信号レンズ部分は、黄色１色５ｍｍＬＥＤを取り付ける。赤信号の場合、新品の信号機の再現なら赤点灯、色の混ぜ合わせの原理を応用して、古い信号機の再現なら赤信号部分の３色ＬＥＤの青と赤を同時点灯させピンク点灯、珍しい予告信号を再現したいなら、青信号部分と赤信号部分の３色ＬＥＤの緑と赤を同時点滅などをさせる。雪国仕様の模型道路縦型信号機である。
【手続補正４】
【補正対象書類名】明細書
【補正対象項目名】００１０
【補正方法】変更
【補正の内容】
【００１０】  請求項７の考察は、露出させたパイプ状のスペーサーに、高輝度ＬＥＤとホーリーファイバの端を接続し、高輝度ＬＥＤは取り外ししやすいようにする。信号レンズ部分に２ｍｍ程度の穴を開けた信号機本体に、ホーリーファイバの反対側の端を挿入する。または、信号機本体を一回り大きく設計し、レンズ部分に３ｍｍ程度の穴を開け、３ｍｍ２色ＬＥＤを直接挿入する。下側の青信号用レンズ部分は、青・緑２色ＬＥＤを取り付け、上側の赤信号用レンズ部分は、赤・青２色ＬＥＤを取り付ける。どちらの方式でも、青信号の場合、新品の信号機の再現なら青点灯させたり、古い信号機の再現なら緑点灯させ、赤信号の場合、新品の信号機の再現なら赤点灯させたり、古い信号機の再現なら２色ＬＥＤの赤・青同時点灯で色を混ぜ合わせ、ピンク点灯させたりできる模型歩行者信号機である。
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
１０ｃｍ程度の長さの釣り糸の端を高輝度ＬＥＤの光で照射し、反対側の端は信号機本体に取り付け、光を放出させて点灯させる。釣り糸は花壇の模型内部や中空状の電柱内部で隠し、高輝度ＬＥＤを花壇の模型内部に内蔵し、さらに蓋を開けて任意の色の高輝度ＬＥＤに交換可能な模型道路信号機。
【請求項２】
１０ｃｍ程度の長さの釣り糸の端を高輝度ＬＥＤの光で照射し、反対側の端は信号機本体に取り付け、光を放出させて点灯させる。釣り糸は花壇の模型内部でのみ隠し、電柱外部に露出する。高輝度ＬＥＤを花壇の模型内部に内蔵し、さらに蓋を開けて任意の色の高輝度ＬＥＤに交換可能にするが、設置場所の都合により、花壇の模型を撤去し、高輝度ＬＥＤをジオラマボードの下に移設できるようにした花壇の模型が取り付け、取り外し自由の模型道路信号機。
【請求項３】
露出させたパイプ状のスペーサーに、ホーリーファイバまたは長さ１０ｃｍ程度の長さの釣り糸の端と高輝度ＬＥＤを接続し、その高輝度ＬＥＤの光をホーリーファイバまたは釣り糸の端に照射させ、反対側の端は信号機本体に取り付け、光を放出させて点灯させる。高輝度ＬＥＤは任意の色に交換できるようにし、ホーリーファイバまたは釣り糸を中空状の電柱内部を通して隠した模型道路信号機。
【請求項４】
釣り糸の端を高輝度ＬＥＤの光で照射し、反対側の端は信号機本体に取り付け、光を放出させて点灯させる。光ファイバまたは釣り糸は花壇の模型内部でのみ隠し、そこから先は露出させる。高輝度ＬＥＤを花壇の模型内部に内蔵し、さらに蓋を開けて任意の色の高輝度ＬＥＤに交換可能な模型歩行者信号機。
【請求項５】
内部を中空にした電柱を製作し、電線が９本程度通るようにして、信号機本体のレンズ部分には３ｍｍ程度の穴を開けて、３ｍｍＬＥＤを直接挿入できるようにした模型道路横型信号機。
【請求項６】
内部を中空にした電柱を製作し、電線が９本程度通るようにして、信号機本体のレンズ部分には３ｍｍ程度の穴を開けて、３ｍｍＬＥＤを直接挿入できるようにした模型道路縦型信号機。
【請求項７】
信号機本体のレンズ部分に３ｍｍ程度の穴を開け、３ｍｍＬＥＤを直接挿入する。または、露出させたパイプ状のスペーサーに、ホーリーファイバの端と高輝度ＬＥＤを接続し、その光を照射させ、一回り小さく製作しレンズ部分に２ｍｍ程度の穴を開けた信号機本体に、ホーリーファイバの反対側の端を挿入し、光を放出して点灯させた模型歩行者信号機。
【手続補正書】
【提出日】平成20年7月8日(2008.7.8)
【手続補正１】
【補正対象書類名】明細書
【補正対象項目名】０００７
【補正方法】変更
【補正の内容】
【０００７】  請求項４の考察は、ＬＥＤの光は、スペーサーという中空のパイプのような部品で光ファイバか釣り糸に伝え、歩行者信号灯器の信号レンズ部分まで導き、ＬＥＤの光を放出させる。ＬＥＤは３ｍｍ高輝度ＬＥＤを使用し、交換しやすい場所に取り付ける。そのために、ＬＥＤやそのスペーサーを収納できる花壇の模型を製作して、その模型歩行者信号機を立てて、ジオラマに設置しやすくする。Ｎゲージ向きである。
【手続補正２】
【補正対象書類名】明細書
【補正対象項目名】０００８
【補正方法】変更
【補正の内容】
【０００８】  請求項５の考察は、内部が中空状の電柱を製作し、電線が９本程度通るようにする。信号機本体のレンズ部分には３ｍｍ程度の穴を開ける。左側の青信号には青／緑２色ＬＥＤを取り付け、この場合、新品の信号機の再現なら、色の混ぜ合わせの原理を応用して青と緑の同時点灯、古い信号機の再現なら緑点灯だけさせたりできる。中央の黄信号レンズ部分は、黄色１色３ｍｍＬＥＤを取り付ける。右側の赤信号には赤／青２色ＬＥＤを取り付け、この場合、新品の信号機の再現なら赤点灯だけ、色の混ぜ合わせの原理を応用して、古い信号機の再現なら赤信号部分の２色ＬＥＤの青と赤の同時点灯でピンク点灯させる。一般的な模型道路横型信号機である。
【手続補正３】
【補正対象書類名】明細書
【補正対象項目名】０００９
【補正方法】変更
【補正の内容】
【０００９】  請求項６の考察は、内部が中空状の電柱を製作し、電線が９本程度通るようにする。信号機本体のレンズ部分には３ｍｍ程度の穴を開ける。下部の青信号には青／緑２色ＬＥＤを取り付け、この場合、新品の信号機の再現なら、色の混ぜ合わせの原理を応用して青と緑の同時点灯、古い信号機の再現なら緑点灯だけさせたりできる。中央の黄信号レンズ部分は、黄色１色３ｍｍＬＥＤを取り付ける。上部の赤信号には赤／青２色ＬＥＤを取り付け、この場合、新品の信号機の再現なら赤点灯だけ、色の混ぜ合わせの原理を応用して、古い信号機の再現なら赤信号部分の２色ＬＥＤの青と赤の同時点灯でピンク点灯させる。雪国仕様の模型道路縦型信号機である。
【手続補正４】
【補正対象書類名】明細書
【補正対象項目名】００１０
【補正方法】変更
【補正の内容】
【００１０】  請求項７の考察は、露出させたパイプ状のスペーサーに、高輝度ＬＥＤとホーリーファイバの端を接続し、高輝度ＬＥＤは取り外ししやすいようにする。信号レンズ部分に２ｍｍ程度の穴を開けた信号機本体に、ホーリーファイバの反対側の端を挿入する。または、信号機本体を一回り大きく設計し、レンズ部分に３ｍｍ程度の穴を開け、３ｍｍ２色ＬＥＤを直接挿入する。下側の青信号用レンズ部分は、青・緑２色ＬＥＤを取り付け、上側の赤信号用レンズ部分は、赤・青２色ＬＥＤを取り付ける。どちらの方式でも、青信号の場合、新品の信号機の再現なら青点灯させたり、古い信号機の再現なら緑点灯させ、赤信号の場合、新品の信号機の再現なら赤点灯させたり、古い信号機の再現なら２色ＬＥＤの赤・青同時点灯で色を混ぜ合わせ、ピンク点灯させたりできる模型歩行者信号機である。
【手続補正書】
【提出日】平成20年10月29日(2008.10.29)
【手続補正１】
【補正対象書類名】実用新案登録請求の範囲
【補正対象項目名】全文
【補正方法】変更
【補正の内容】
【実用新案登録請求の範囲】
【請求項１】
釣り糸の端は信号機本体に取り付け、中空のパイプの電柱内部にその釣り糸を通し、花壇の模型に内蔵された高輝度ＬＥＤの光で、反対側の端を照射し、光を導いて点灯させる模型道路信号機。
【請求項２】
釣り糸の端は信号機本体に取り付け、花壇の模型に内蔵された高輝度ＬＥＤの光で、反対側の端を照射し、光を導いて点灯させる模型道路信号機。
【請求項３】
ホーリーファイバの端は信号機本体に取り付け、中空のパイプの電柱内部にそのホーリーファイバを通し、反対側の端を高輝度ＬＥＤの光で照射し、光を導いて点灯させる模型道路信号機。
【請求項４】
釣り糸の端は信号機本体に取り付け、花壇の模型に内蔵された高輝度ＬＥＤの光で、反対側の端を照射し、光を導いて点灯させる模型歩行者用信号機。
【請求項５】
内部を中空にした電柱を製作し、電線が９本程度通るようにして、信号機本体のレンズ部分には３ｍｍ程度の穴を開けて、３ｍｍＬＥＤを直接挿入できるようにした模型道路信号機。
【請求項６】
信号機本体のレンズ部分に３ｍｍ程度の穴を開け、３ｍｍＬＥＤを直接挿入できるようにした模型歩行者用信号機。
【請求項７】
ホーリーファイバの端は信号機本体に取り付け、反対側の端を高輝度ＬＥＤの光で照射し、光を導いて点灯させる模型歩行者用信号機。
【手続補正書】
【提出日】平成20年10月29日(2008.10.29)
【手続補正１】
【補正対象書類名】明細書
【補正対象項目名】０００６
【補正方法】変更
【補正の内容】
【０００６】  請求項３の考察は、ＬＥＤの光は、ホーリーファイバに、スペーサーという中空のパイプのような部品で伝える。そして、電柱内を通し、道路信号灯器本体、歩行者信号灯器の信号レンズ部分まで導き、ＬＥＤの光を放出させる。ＬＥＤは高輝度ＬＥＤを使用する。ＬＥＤの大きさは特に決めない。ホーリーファイバは、従来の光ファイバよりも、曲がりに強く曲げても光損失がほとんどない。将来、ホーリーファイバの入手が容易になったらそれを使用する。そうなると、ＬＥＤの光を伝えるスペーサーをジオラマの外に設置するなどして、模型信号機の設置の自由度が向上する。また、既存のジオラマにも小改造で対応できる。このようなことからＮゲージ用になる。代用品に釣り糸３を使用できるようにするため、釣り糸３またはホーリーファイバを後付けできる構造にする。
【手続補正２】
【補正対象書類名】明細書
【補正対象項目名】０００８
【補正方法】変更
【補正の内容】
【０００８】  請求項５の考察は、内部が中空状の電柱を製作し、電線が９本程度通るようにする。信号機本体のレンズ部分には３ｍｍ程度の穴を開ける。青信号部分には青／緑２色ＬＥＤを取り付け、この場合、新品の信号機の再現なら、色の混ぜ合わせの原理を応用して青と緑の同時点灯、古い信号機の再現なら緑点灯だけさせたりできる。中央の黄信号レンズ部分は、黄色１色３ｍｍＬＥＤを取り付ける。赤信号部分には赤／青２色ＬＥＤを取り付け、この場合、新品の信号機の再現なら赤点灯だけ、色の混ぜ合わせの原理を応用して、古い信号機の再現なら赤信号部分の２色ＬＥＤの青と赤の同時点灯でピンク点灯させる。一般的な模型道路信号機である。
【手続補正３】
【補正対象書類名】明細書
【補正対象項目名】０００９
【補正方法】変更
【補正の内容】
【０００９】  請求項６の考察は、信号機本体レンズ部分に３ｍｍ程度の穴を開け、３ｍｍ２色ＬＥＤを直接挿入する。下側の青信号用レンズ部分は、青・緑２色ＬＥＤを取り付け、上側の赤信号用レンズ部分は、赤・青２色ＬＥＤを取り付ける。青信号の場合、新品の信号機の再現なら青点灯させたり、古い信号機の再現なら緑点灯させ、赤信号の場合、新品の信号機の再現なら赤点灯させたり、古い信号機の再現なら２色ＬＥＤの赤・青同時点灯で色を混ぜ合わせ、ピンク点灯させたりできる模型歩行者信号機である。
【手続補正４】
【補正対象書類名】明細書
【補正対象項目名】００１０
【補正方法】変更
【補正の内容】
【００１０】  請求項７の考察は、露出させたパイプ状のスペーサーに、高輝度ＬＥＤとホーリーファイバの端を接続し、高輝度ＬＥＤは取り外しやすいようにする。信号レンズ部分に２ｍｍ程度の穴を開けた信号機本体に、ホーリーファイバの反対側の端を挿入した模型歩行者信号機である。代用品に釣り糸３を使用できるようにするため、釣り糸３またはホーリーファイバを後付けできる構造にする。
【手続補正５】
【補正対象書類名】明細書
【補正対象項目名】００１５
【補正方法】変更
【補正の内容】
【００１５】  主歩行者信号機１６、予備歩行者信号機１７もＬＥＤ光源を釣り糸を使用して導く。予備歩行者信号機１７は、スクランブル交差点再現用なので、取り外せるようにするか、オプション品にする。信号レンズ部分に直径０．７ｍｍの穴を開け、短めの釣り糸９は露出させて通した。花壇の模型に仕上げたＬＥＤを収納する箱１１、ＬＥＤ交換時のふた１２で、ＬＥＤを交換できるようにした。花壇の模型は、設置場所の都合により撤去できるようにする。電線１３で適正電圧の直流電源につなぐ。（図９）
【手続補正６】
【補正対象書類名】明細書
【補正対象項目名】００１６
【補正方法】変更
【補正の内容】
【００１６】模型信号機の信号レンズ部分に３ｍｍの穴を開け、３ｍｍＬＥＤが直接挿入できるようにする。中空のパイプで電柱を製作し、ＬＥＤ電源用の電線をその中に通す。（図１１，１２）
【手続補正７】
【補正対象書類名】明細書
【補正対象項目名】００１７
【補正方法】変更
【補正の内容】
【００１７】模型信号機の信号レンズ部分に３ｍｍの穴を開け、３ｍｍＬＥＤが直接挿入するか、２ｍｍ程度の穴を開け、ホーリーファイバか代用品の釣り糸３を取り付ける。（図１３）